(57)【要約】【課題】音源からのアナログ信号を増幅して、複数系統に分配し、分配した各信号の増幅度を変更することが可能な音声調整卓、音声調整システム及び音声調整方法に関する。【解決手段】入力した音声信号のレベルの調整を行う入力側増幅部１１と、レベルの調整を行った音声信号をデジタル音声信号に変換するＡ／Ｄ変換部１２と、デジタル音声信号に変換した音声信号を当該音声調整卓の出力用と他の音声機器への出力用に分配を行う分配部１３とを備える。主音声調整卓１０から出力する音声信号のレベルの調整を行う出力側増幅部１３ｂと、他の機器へ出力する音声信号のレベルの調整を行う分岐側増幅部１３ｃを備える。入力側増幅部１１の出力レベルを調整する入力レベル調整部１５ａと、主音声調整卓から出力する音声信号の出力レベル設定する出力側レベル設定部１５ｂと、他の機器へ出力する音声信号の出力レベル設定する分岐側レベル設定部１５ｃを有する。【選択図】図１
2014064136.tif 000002
【特許請求の範囲】
【請求項１】
音源からの音声信号を、出力側と分岐側の音声信号に分配する音声調整卓において、
入力した音声信号のレベルの調整を行う入力側増幅部と、
入力側増幅部でレベルの調整を行った音声信号をデジタル音声信号に変換するＡ／Ｄ変換部と、
前記デジタル音声信号に変換した音声信号を、当該音声調整卓からの出力用と分岐用の音声信号とに分配を行う分配部と、
前記音声調整卓から出力する音声信号のレベルの調整を行う出力側増幅部と、
前記分岐用の音声信号のレベルの調整を行う分岐側増幅部と、
を備え、
前記入力側増幅部の出力レベルを調整する入力側レベル設定部と、
前記音声調整卓から出力する音声信号の出力レベル設定する出力側レベル設定部と、
前記分岐用の音声信号の出力レベル設定する分岐側レベル設定部と、を有する制御部とを備えることを特徴とする音声調整卓。
【請求項２】
前記制御部は、前記入力側レベル設定部で設定した「入力側増幅部の出力レベル設定値」と、出力側レベル設定部で設定した「出力側の音声信号のレベル設定値」及び／または分岐側レベル設定部で設定した「分岐側の音声信号のレベル設定値」との差分を算出し、
前記出力側増幅部または前記分岐側増幅部では、前記差分により音声信号のレベルを調整することを特徴とする請求項１に記載の音声調整卓。
【請求項３】
前記制御部は、プログラムの運用状況の通知を入力し、その通知に基づいて当該音声調整卓のプログラムが運用中であるか休止中であるかの判定をするプログラム運用判定部を備え、
当該音声調整卓において「プログラム運用中」と判定され、運用中の前記プログラムの音声信号のレベル値と異なる「レベル設定値」が新たに入力される場合には、
前記プログラムの音声信号のレベル値と新たに入力した「レベル設定値」との差分を検出し、
前記出力側増幅部または分岐側音声増幅部では、前記差分により音声信号のレベルを調整することを特徴とする請求項２に記載の音声調整卓。
【請求項４】
前記制御部は、前記出力側レベル設定部で設定された出力レベル設定値と、前記分岐側レベル設定部で設定された出力レベル設定値とのどちらを入力側レベル設定部での設定値するかを設定する優先度設定部とを備え、
入力側レベル設定部は、優先する側のレベル設定部での設定値を入力し「入力側増幅部の出力レベル設定値」とすることを特徴とする請求項２または請求項３に記載の音声調整卓。
【請求項５】
請求項１〜４の音声調整卓の分岐側増幅部の出力側に音声信号のレベルの調整を行う副音声調整卓を備えることを特徴とする音声調整システム。
【請求項６】
音源からの音声信号を入力しレベルの調整を行う入力側増幅処理と、
前記入力側増幅処理でレベルの調整を行った音声信号をデジタル音声信号に変換するＡ／Ｄ変換処理と、
前記デジタル音声信号に変換した音声信号を、出力用の音声信号と分岐用の音声信号とに分配を行う分配処理と、
前記出力用の音声信号のレベルの調整を行う出力側増幅処理と、
前記分岐用の音声信号のレベルの調整を行う分岐側増幅処理と、
を含み、
前記入力側増幅処理の出力レベルを調整する入力レベル側設定処理と、
前記出力側増幅処理でのレベル設定値を設定する出力側レベル設定処理と、
前記分岐側増幅処理でのレベル設定値を設定する分岐側レベル設定処理と、を有することを特徴とする音声調整方法。
【発明の詳細な説明】
【技術分野】
【０００１】
本発明は、マイク等の音源からのアナログ信号を増幅して、複数系統に分配し、分配した各信号に対してその増幅度を任意の範囲に変更することが可能な音声調整卓、音声調整システム及び音声調整方法に関する。
【背景技術】
【０００２】
放送やライブステージでは、１つの音源からの音声信号を複数の用途で使用するために、分配して使用している。例えば、１つのマイクの音声信号を放送用のプログラムと観客用のプログラムで使用する場合には、マイクの音声信号を２つに分岐した後、放送用の音声調整卓と観客用の音声調整卓に入力する。この際、２つの音声調整卓を並列に接続するために、マイクからみた負荷インピーダンスが下がるため、音質の劣化が起きていた。
【０００３】
そのため従来では、図９，１０に示すような増幅アンプの前に分岐トランス５１ａやスプリッタ５１ｂといった機器を配設している。図９は、分岐トランスを使用し２つの音声調整卓５２，５３を並列した様子を示すブロック図である。図９に示すように、マイク５０から出力された音声信号は、分岐された後、その一方は、音声調整卓５２に入力される。分岐した他方の音声信号は、分岐トランス５１ａで調整された後、音声調整卓５３に入力する。
【０００４】
図１０は、スプリッタ５１ｂを使用して、２つの音声調整卓を並列に接続したブロック図である。図１０に示すように、マイク５０の出力側にはスプリッタ５１ｂが設置される。マイク５０からの音声信号がスプリッタ５１ｂで分岐され、音声調整卓５２と音声調整卓５３に入力される。
【先行技術文献】
【特許文献】
【０００５】
【特許文献１】特開2001-045081号公報
【発明の概要】
【発明が解決しようとする課題】
【０００６】
しかしながら、分岐トランス５１ａを利用した図９の方法では、トランスの性能が音質に与える影響が大きくなる。また、分岐トランス５１ａには広い実装スペースとなる問題点もある。一方、スプリッタ５１ｂを利用した図１０の方法では、スプリッタ５１ｂで予め設定した増幅度に音声信号を増幅し、この信号を分配する。そのため、分配先ごとに増幅度を設定することができず、マイク５０のダイナミックレンジ性能等を十分に活かすことが困難であった。
【０００７】
本発明は、１つの音源を複数系統に分岐し、その後それぞれの音声調整卓に入力していたことに起因する前記の様な問題を解決するために提案されたものである。すなわち、本発明の目的は、１つの音源から出力された音声信号を複数の系統に分配する際に、それぞれの音声調整卓ごとの増幅度の設定を可能にする音声調整卓、音声調整システム及び音声調整方法を提供することである。
【課題を解決するための手段】
【０００８】
上記目的をふまえ、本発明は、１つの音源を複数の系統に分配するに当たり、音源からの音声信号を入力し出力側と分岐側の音声信号とに分配する音声調整卓である。
【０００９】
本発明の音声調整卓における音声調整卓は、以下の構成を有することを特徴とする。
(a)  
入力した音声信号のレベルの調整を行う入力側増幅部。
(b)  
入力側増幅部でレベルの調整を行った音声信号をデジタル信号に変換するＡ／Ｄ変換部。
(c)  
前記デジタル信号に変換した音声信号を当該音声調整卓用と分岐用の音声信号とに分配を行う分配部。
(d)  
分配した音声調整卓用の音声信号のレベルの調整を行う出力側増幅部。
(e)  
分配した分岐用の音声信号のレベルの調整を行う分岐側増幅部。
(f)   
音声調整卓における出力側の音声信号と分岐側の音声信号のレベル設定値を設定する設定部。
(g)  
設定部で設定したレベル設定値に基づいて入力側増幅部、出力側増幅部及び分岐側増幅部における音声信号のレベル調整を制御する制御部。
【００１０】
また、上記のような処理を行う音声調整システム及び音声調整方法も本発明の一態様である。
【発明の効果】
【００１１】
以上のような本発明は、以下の効果を奏する。
(1)マイク等の音源に接続する音声調整卓が１つとなるため、負荷インピーダンスを上げることができ、音質の劣化を抑制することができる。
(2)音源と音声調整卓との間にスプリッタなどの機器の設置が不要となるため、実装スペースを狭くすることができ、空間を利用することができる。
(3)音声調整卓において行われた出力側の音声信号のレベル調整の影響を分岐側の音声信号に与えないことが可能となる。
(4) 入力側増幅部としてアナログ増幅器を利用し、出力側増幅部及び分岐側増幅部としてデジタル増幅器を利用した場合には、ダイナミックレンジが広いアナログ増幅器と、クリック音が発生しにくく音声レベルの変更を行いやすいデジタル増幅器と、２種類の増幅器の長所を利用することが可能となる。
【図面の簡単な説明】
【００１２】
【図１】本発明の第１の実施形態の音声調整卓の構成を示すブロック図である。
【図２】第１の実施形態の音声調整卓の制御部でのレベル設定値Ｌ１〜Ｌ３を示した図である。
【図３】本発明の第２の実施形態の音声調整卓の構成を示すブロック図である。
【図４】第２の実施形態において主音声調整卓からの出力信号に対するレベル設定値を示した図である。
【図５】第２の実施形態において副音声調整卓に入力する音声信号のレベル設定値を示した図である。
【図６】本発明の第３の実施形態の音声調整卓の構成を示すブロック図である。
【図７】第３の実施形態において入力側レベル設定値として出力側レベル設定値を優先する場合を示した図である。
【図８】第３の実施形態において入力側レベル設定値として分岐側レベル設定値を優先する場合を示した図である。
【図９】分岐トランスを使用し２つの音声調整卓を並列した様子を示すブロック図である。
【図１０】スプリッタを使用し２つの音声調整卓を並列した様子を示すブロック図である。
【発明を実施するための形態】
【００１３】
以下、本発明の実施例を図面を参照して説明する。
【００１４】
［１．第１の実施形態］
［１−１．構成］
図１は、本発明に係る第１の実施形態の音声調整卓の構成を示すブロック図である。第１の実施形態の音声調整卓は、音源１からの音声信号を入力し、これを分配する主音声調整卓１０と、分配された音声信号を処理する副音声調整卓２０とから構成される。
【００１５】
音源１の一例としては、マイクやＣＤなどが挙げられる。音源１は、アナログの音声信号Ａを出力する。その出力側には主音声調整卓１０が接続される。
【００１６】
主音声調整卓１０は、放送やライブステージなどの各種プログラムに使用する音声信号のレベル調整及び分配を行うもので、本実施形態における主音声調整卓１０は、以下の構成を備える。
（１）入力したアナログ音声信号Ａのレベルの調整を行う入力側増幅部１１
（２）入力側増幅部１１でレベルの調整を行ったアナログ音声信号Ａをデジタル信号Ｄに変換するＡ／Ｄ変換部１２
（３）デジタル音声信号Ｄに変換した音声信号を出力側と分岐側のデジタル音声信号Ｄ１，Ｄ２に分配し、分配した音声信号ごとにレベルの調整を行うデジタルシグナルプロフェッサ部（以下、ＤＳＰとする）１３
（４）ＤＳＰ１３で分配及び調整した分岐側のデジタル音声信号Ｄ２をアナログ音声信号Ａ２に変換するＤ／Ａ変換部１４
（５）入力側増幅部１１及びＤＳＰ１３の出力側と分岐側の音声信号のレベル調整を制御する制御部１５
【００１７】
入力側増幅部１１としては、ダイナミックレンジを広くとることができるアナログ信号用の増幅器を利用する。入力側増幅部１１は、制御部１５と接続され、制御部１５に設けられた入力側レベル設定部１５ａからの指示に基づいてアナログ音声信号Ａのレベルの調整を行う。
【００１８】
入力側増幅部１１の出力側には、Ａ／Ｄ変換部１２が接続され、レベルの調整を行ったアナログ音声信号ＡをＡ／Ｄ変換部１２に対して出力する。Ａ／Ｄ変換部１２は、入力されたアナログの音声信号Ａをデジタルの音声信号Ｄに変換する。Ａ／Ｄ変換部１２の出力側にはＤＳＰ１３が接続されている。
【００１９】
ＤＳＰ１３は、入力されたデジタル音声信号Ｄを出力側のデジタル音声信号Ｄ１と分岐側のデジタル音声信号Ｄ２に分配する分配部１３ａを備える。また、ＤＳＰ１３は、分配されたデジタル音声信号Ｄ１とデジタル音声信号Ｄ２のレベルの調整を行う出力側増幅部１３ｂ及び分岐側増幅部１３ｃを備える。これらの増幅部１３ｂ，１３ｃとしては、音声信号のレベルの変更時のレベルの切り替えがμｓ単位で行うことができ、クリック音などの発生が少ないデジタル信号用の増幅器を利用する。
【００２０】
出力側増幅部１３ｂは制御部１５と接続され、制御部１５の出力側レベル設定部１５ｂからの指示に基づいてデジタル音声信号Ｄ１のレベルの調整を行う。出力側増幅部１３ｂの出力側には放送用プログラム処理部３１が接続され、レベルの調整を行ったデジタル音声信号Ｄ１を放送用プログラムの音声信号として出力する。
【００２１】
分岐側増幅部１３ｃは、制御部１５の分岐側レベル設定部１５ｃからの指示に基づいてデジタル音声信号Ｄ２の増幅を行う。分岐側増幅部１３ｃの出力側には、Ｄ／Ａ変換部１４が接続され、レベルの調整を行ったデジタル音声信号Ｄ２をアナログの音声信号Ａ２に変換する。Ｄ／Ａ変換部１４の出力側には副音声調整卓２０が接続され、アナログ信号に変換した音声信号Ａ２は副音声調整卓２０に出力される。図１においては、このＤ／Ａ変換部１４は、主音声調整卓１０内部に実装されるが、主音声調整卓１０の外部に設けることも可能である。
【００２２】
副音声調整卓２０は、主音声調整卓１０と同様に各種プログラムに使用する音声信号のレベル調整を行う。本実施形態では副音声調整卓２０は、観客用のプログラムの音声信号の調整を行う。副音声調整卓２０の出力側には、観客用プログラムの処理部３２が接続される。
【００２３】
副音声調整卓２０の制御部には、副音声調整卓に設けられた各部の制御を行うための副音声調整卓用のレベル設定部と、主音声調整卓１０の入力側レベル設定部１５ａ、出力側レベル設定部１５ｂ及び分岐側レベル設定部１５ｃとを制御するための遠隔操作部２６ｂが設けられている。遠隔操作部２６ｂは、副音声調整卓２０に実装される時と、外付けの場合がある。
【００２４】
［１−２．作用］
以上の様な構成を有する本実施形態における音声信号のレベル調整及び分配処理を、図２を参照して説明する。
【００２５】
ユーザは、操作部２６ａまたは操作部２６ｂにより、入力側レベル設定部１５ａ、出力側レベル設定部１５ｂ、分岐側レベル設定部１５ｃを使用して、放送用プログラムの音声信号のレベル設定値と観客用プログラムの音声信号のレベル設定値とを設定する。ユーザは、放送用プログラムの音声信号用に、操作部２６ａを使用し、出力側レベル設定部１５ｂでレベル設定値を設定する。また、ユーザは、分岐側の観客用プログラムの音声信号用に、操作部２６ｂを使用し、分岐側レベル設定部１５ｃでレベル設定値を設定する。入力側レベル設定部では、出力側レベル設定部で設定されたレベル設定値を入力し、その値をレベル設定値とする。
【００２６】
図２は、主音声調整卓１０から出力する放送用プログラム用の音声信号の設定値と、副音声調整卓２０から出力する観客用プログラムの音声信号の設定値とが異なる場合における入力側増幅部１１、出力側増幅部１３ｂ、分岐側増幅部１３ｃの増幅度Ｌ１〜Ｌ３の設定値を示した図である。
【００２７】
入力側レベル設定部本実施形態では、ユーザは、操作部２６ａにより、出力レベル設定部１５ｂを使用し、放送用プログラムの音声信号のレベル設定値「＋２０ｄＢ」を設定する。また、ユーザは遠隔操作部２６ｂを使用して、分岐レベル設定部１５ｃに対して、観客用プログラムの音声信号のレベル設定値「＋１８ｄＢ」を設定する。なお、本実施形態では、出力側レベル設定部１５bでレベル設定値「＋２０ｄＢ」を設定した場合、特に入力側レベル設定部１５ａでレベル設定値を設定しなくても、入力側レベル設定部１５ａにレベル設定値「＋２０ｄＢ」が設定される。
【００２８】
入力側レベル設定部１５ａは、レベル設定値である「＋２０ｄＢ」に基づいて、入力側増幅部１１で調整するアナログ音声信号ＡのレベルＬ１を「＋２０ｄＢ」と設定する。
【００２９】
出力側レベル設定部１５ｂでは、音声調整卓１０から放送用プログラム処理部３１に対する音声信号の出力レベルを「＋２０ｄＢ」と設定する。すると、出力側増幅部１３ｂでは、入力側レベル設定部１５ａで設定したレベル設定値「＋２０ｄＢ」と出力側レベル設定部１５ｂで設定したレベル設定値「＋２０ｄＢ」の差分に基づいて調整するレベル設定値をレベルＬ２「０ｄＢ」と設定する。
【００３０】
分岐側レベル設定部１５ｃでは、分岐側レベル設定部１５ｃでユーザが設定したレベル設定値「＋１８ｄＢ」と、入力側レベル設定部１５ａで設定したレベル設定値「＋２０ｄＢ」との差分「−２ｄＢ」を算出し、これを分岐側増幅部１３ｃの増幅度をレベルＬ３「−２ｄＢ」と設定する。
【００３１】
前記の設定値に基づいて入力側増幅部１１では、入力するアナログ音声信号Ａを「＋２０ｄＢ」に増幅する。その後、Ａ／Ｄ変換部１２によりデジタル信号Ｄに変換する。このデジタル信号Ｄは、分配部１３ａで出力側のデジタル音声信号Ｄ１と分岐側のデジタル音声信号Ｄ２とに分配される。
【００３２】
出力側のデジタル音声信号Ｄ２が入力される出力側増幅部１３ｂでは、設定されたレベルＬ２が「０ｄＢ」のため、そのレベル調整を行わない。そのため出力側増幅部１３ｂから出力したデジタル音声信号Ｄ２は、「＋２０ｄＢ」の増幅度で放送用プログラムの音声信号として出力される。
【００３３】
分岐側のデジタル音声信号Ｄ２が入力される分岐側増幅部１３ｃでは、計算されたレベルＬ３が「−２ｄＢ」のため、分岐側のデジタル音声信号Ｄ２に対して「−２ｄＢ」とするレベル調整を行う。その結果、分岐側増幅部１３ｃから出力するデジタル音声信号Ｄ２の増幅度は「＋１８ｄＢ」に調整され、Ｄ／Ａ変換部１４によりアナログ信号Ａ２に変換された後、副音声調整卓２０に対して出力される。
【００３４】
［１−３．効果］
以上のような構成及び作用を有する本実施形態においては、
（１）音源１に接続される音声調整卓が１つだけとなり、負荷インピーダンスを上げることができるので、音質の劣化を抑制することができる。
（２）音源１と主音声調整卓１０との間にスプリッタなどの機器の設置が不要となるため、実装スペースを狭くすることができ、空いた空間を利用することができる。
（３）主音声調整卓１０から出力する音声信号のレベル調整の影響を、分岐側の副音声調整卓２０で処理する音声信号に与えないことが可能となる。
（４）入力側増幅部としてアナログ増幅器を利用し、出力側増幅部１３ｂ及び分岐側増幅部１３ｃとしてデジタル増幅器を利用することにより、ダイナミックレンジが広いアナログ増幅器と、クリック音が発生しにくく音声レベルの変更を行いやすいデジタル増幅器との長所との、双方を利用することが可能となる。
【００３５】
［２．第２の実施形態］
図３は、本発明に係る第２の実施形態の音声調整卓の構成を示すブロック図である。図３において、図１と重複する部分、構成要素については、図１と同じ符号を付し説明を省略する。
【００３６】
［２−１．構成］
本発明の係る第２の実施形態は、第１の実施形態の音声調整卓の構成にレベル設定値を記憶する記憶部１７と、各音声調整卓１０，２０から出力するプログラム処理部３１，３２の運用状況を判定するプログラム運用判定部１８を追加したものである。
【００３７】
放送用プログラム及び観客用プログラムの処理部３１，３２は、プログラムの運用状態をプログラム運用判定部１８に通知する運用状態通知部３１ａ，３２ａを備える。運用状態の通知は、プログラムが運用されているか否かを示すものであり、例えば「運用中」「休止中」とで示される。
【００３８】
プログラム運用判定部１８は、各プログラム処理部３１，３２から入力する運用状態の通知に基づいて、どのプログラムが運用されているのか判定を行う。一例としては、プログラム運用判定部１８は、放送用プログラム及び観客用プログラムの運用状態を「全プログラム休止中」「放送用プログラム運用中」「観客用プログラム運用中」「全プログラム運用中」と判定する。この判定結果は、制御部１５に対して出力される。
【００３９】
［２−２．作用］
以上の様な構成を有する本実施形態における音声信号の調整及び分配を図４，５を参照して説明する。
【００４０】
（１）放送用プログラム運用中に、その出力側のレベル設定値を変更した場合
制御部１５では、ユーザから新たなレベル設定値の入力があった場合には、各プログラムが運用中か休止中かの判定を行う。プログラム運用判定部１８において「全プログラム休止中」と判定された場合には、第１の実施形態と同様に入力側増幅部１１、出力側増幅部１３ｂ及び分岐側増幅部１３ｃに対して、レベル設定値Ｌ１〜Ｌ３を設定する。
【００４１】
一方、プログラム運用判定部１８においていずれかのプログラムが運用中と判定された場合には次の処理が行われる。すなわち、図４は、放送用プログラムの運用中にユーザが新たなレベル設定値を入力した場合を示す図である。図４では、ユーザ設定により制御部１５は、第１の実施形態に記載したように、予め次のような設定値で、放送用と観客用のプログラムを処理しているとする。
【００４２】
レベル設定値Ｌ１      「＋２０ｄＢ」
レベル設定値Ｌ２      「０ｄＢ」
レベル設定値Ｌ３      「−２ｄＢ」
【００４３】
これらの設定値は、記憶部１７に記憶される。この状態でプログラムを運用中に、ユーザが操作部２６ａの操作により、出力側レベル設定部１５ｂを使用し、レベル設定値を「＋２５ｄＢ」と設定すると、制御部１５は、プログラム運用判定部１８からの判定結果よりプログラムか運用中か休止中であるかを判定する。
【００４４】
判定結果が「運用中」の場合、ユーザが出力側レベル設定部１５ｂでレベル設定値「＋２５ｄＢ」を設定した場合は、出力側レベル設定部１５ｂでは、記憶部１７に記憶されているプログラム運用前に設定したレベル設定値Ｌ１「＋２０ｄＢ」と、ユーザが新たに入力した入力側レベル設定部レベル設定値「＋２５ｄＢ」の差分を検出し、新たなレベル設定値Ｌ２「＋５ｄＢ」を設定する。
【００４５】
その結果、出力側増幅部１３ｂでは、デジタル音声信号Ｄ１の増幅度は、「＋２５ｄＢ」に調整され、放送用プログラムの処理部３１に対して出力される。一方、分岐側については、変更前からの設定値Ｌ３「−２ｄＢ」がそのまま適用されるので、分岐側のデジタル音声信号Ｄ２は影響を受けることがない。
【００４６】
（２）放送用プログラム運用中に、分岐側のレベル設定値を変更した場合
図５は、放送用プログラムの運用中にユーザが分岐側の音声信号について遠隔操作部２６ｂを用いて、分岐レベル設定部１５ｃに対して、新たなレベル設定値「＋３０ｄＢ」を入力した場合を示す図である。
【００４７】
この場合、分岐側レベル設定部１５ｃでは、記憶部１７に記憶されているプログラム運用前に設定したレベル設定値Ｌ１「＋２０ｄＢ」と、ユーザが入力した分岐側の出力レベル設定値「＋３０ｄＢ」の差分を検出し、新たな増幅度レベル設定値Ｌ３「＋１０ｄＢ」を設定する。
【００４８】
その結果、分岐側増幅部１３ｃでは、デジタル音声信号Ｄ２の増幅度は「＋３０ｄＢ」に調整され、副音声調整卓２０に対して出力される。一方、出力側については、変更前からの設定値Ｌ２がそのまま適用されるので、放送用プログラム側のデジタル音声信号Ｄ１の出力レベルは影響を受けることがない。
【００４９】
［２−３．効果］
以上のような構成及び作用を有する本実施形態の音声調整卓では、前記実施形態の効果に加えて、プログラム運用中において、入力側増幅部１１で音声信号の調整を行わず、出力側増幅部１３ｂまたは分岐側増幅部１３ｃ単独で音声信号の調整を行うことができる。これにより、他の系統に影響を与えることなく、自系統のレベル調整を自由に行うことができる。
【００５０】
［３．第３の実施形態］
図６は、本発明に係る第２の実施形態の音声調整卓の構成を示すブロック図である。図６において、図１と重複する部分、構成要素については、図１と同じ符号を付し説明を省略する。
【００５１】
［３−１．構成］
本発明の係る第３の実施形態は、第１の実施形態の音声調整卓の制御部１５の構成に、レベル設定を優先するレベル設定部を設定する優先度設定部１５ｄを設けたものである。
【００５２】
主音声調整卓１０及び／または副音声調整卓２０は、入力側レベル設定値Ｌ１として、出力側レベル設定値Ｌ２と、分岐側レベル設定値Ｌ３とのどちらを優先するかを設定する優先度設定部１５ｄを備える。
【００５３】
［３−２．作用］
以上の様な構成を有する本実施形態における音声信号の調整及び分配を図７，８を参照して説明する。
【００５４】
（１）入力側レベル設定値Ｌ１として、出力側レベル設定値Ｌ２を優先する場合
図７では、ユーザは操作部２６ａより、優先度設定部１５ｄを使用し、出力側レベル設定部１５ｂの入力値Ｌ２を、入力側レベル設定値Ｌ１とすると設定する。ユーザが新たに放送用プログラムと観客用プログラムの値を設定する場合に、ユーザは、出力側レベル設定部１５ｂを使用し、放送用プログラムとして出力する音声信号のレベル設定値「＋１６ｄＢ」を設定する。また、ユーザは、遠隔操作部２６ｂを使用し、直接分岐レベル設定部１５ｃに対して、観客用プログラムの音声信号のレベル設定値「＋１２ｄＢ」を設定する。
【００５５】
入力側レベル設定部１５ａは、出力側レベル設定部１５ｂでユーザが設定したレベル設定値である「＋１６ｄＢ」に基づいて、入力側増幅部１１で調整するアナログ音声信号ＡのレベルＬ１を「＋１６ｄＢ」と設定する。
【００５６】
分岐側レベル設定部１５ｃでは、分岐側レベル設定部１６ｃでユーザが設定したレベル設定値「＋１２ｄＢ」と、出力側レベル設定部１５ｂによって選択された入力側レベル設定部１５ａのレベル設定値「＋１６ｄＢ」との差分「−４ｄＢ」を算出する。その結果、分岐側増幅部１３ｃでは、算出した差分「−４ｄＢ」がその増幅度と設定される。
【００５７】
（２）入力側レベル設定値Ｌ１として、分岐側レベル設定値Ｌ３を優先する場合
図８では、ユーザは操作部２６ａにより、優先度設定部１５ｄを使用し、分岐側レベル設定部１５ｂの入力値Ｌ３を、入力側レベル設定値Ｌ１とすると設定する。
【００５８】
入力側レベル設定部１５ａは、レベル設定を優先する分岐側レベル設定部１５ｃでユーザが設定したレベル設定値である「＋１２ｄＢ」に基づいて、入力側増幅部１１で調整するアナログ音声信号ＡのレベルＬ１を「＋１２ｄＢ」と設定する。
【００５９】
出力側レベル設定部１５ｂでは、出力側レベル設定部１５ｂでユーザが操作部２６ａにより、設定したレベル設定値「＋１６ｄＢ」と、分岐側レベル設定部１５ｃにより、入力側レベル設定部１５ａに設定されたレベル設定値「＋１２ｄＢ」との差分「＋４ｄＢ」を算出する。その結果、分岐側増幅部１３ｃでは、算出した差分「＋４ｄＢ」が増幅度として設定される。
【００６０】
［３−３．効果］
以上のような構成及び作用を有する本実施形態の音声調整卓では、前記実施形態の効果に加えて、非優先側レベル補正を伴う際に、同一ハードを使用しタイミング制御を行い優先側操作による影響を非優先側に与えないことができる。
【００６１】
［４．他の実施形態］
本発明は、上記の実施形態に例示した態様のみならず、以下の態様も含むものである。
【００６２】
（ａ）上記実施形態では、制御部１５を主音声調整卓１０に設けたが、副音声調整卓２０に設けることも可能である。また、主音声調整卓１０及び副音声調整卓２０より分離して設けても良い。
【００６３】
（ｂ）分配部１３ａで、分岐側の音声信号Ｄ２として分配される音声信号の数は、任意の数とすることができる。たとえば、図１では、分岐側の音声信号Ｄ２として１つの音声信号が分配されるが、分岐側の音声信号Ｄ２として複数の音声信号として分配しても良い。分岐側の音声信号Ｄ２として複数の音声信号を分配した場合には、分配した分岐側の音声信号Ｄ２と同数の分岐側増幅部１３ｃが設けられる。
【符号の説明】
【００６４】
１…音源
１１…入力側増幅部
１２…Ａ／Ｄ変換部
１３…デジタルシグナルプロフェッサ部
１３ａ…分配部
１３ｂ…出力側増幅部
１３ｃ…分岐側増幅部
１４…Ｄ／Ａ変換部
１５…制御部
１５ａ…入力側レベル設定部
１５ｂ…出力側レベル設定部
１５ｃ…分岐側レベル設定部
１５ｄ…優先度設定部１５ｄ
１７…記憶部
１８…プログラム運用判定部
３１，３２…プログラム処理部
３１ａ，３２ａ…運用状態通知部
【図１】
2014064136.tif 000003
【図２】
2014064136.tif 000004
【図３】
2014064136.tif 000005
【図４】
2014064136.tif 000006
【図５】
2014064136.tif 000007
【図６】
2014064136.tif 000008
【図７】
2014064136.tif 000009
【図８】
2014064136.tif 000010
【図９】
2014064136.tif 000011
【図１０】
2014064136.tif 000012